(57)【要約】【課題】遮断器の入・切状態の表示とともに引出位置をも同時に表示するようにすることにより、試験や保守時においても確実に負荷への給電を保証する。【解決手段】筐体１内には遮断器３が収納されており、この筐体１のパネル面５には、表示部７が配置されている。表示部７は、遮断器３の入・切状態を表示する入・切状態表示と、遮断器３がこの遮断器３を収納する筐体１から引き出された引出位置にあるか、収納された接続位置にあるかを表示する位置表示とを一体で行うものである。この表示部７は、発光ダイオード（ＬＥＤ）で構成され、遮断器３が入状態にあるか、切状態にあるか、および引出状態にあるか、接続状態にあるかを色分け表示する。【選択図】図１
2011062048.tif 000002
【特許請求の範囲】
【請求項１】
遮断器の入・切状態を表示する入・切状態表示と、前記遮断器が当該遮断器を収納する筐体から引き出された引出位置にあるか、収納された接続位置にあるかを表示する位置表示とを一体で行う表示部を備え、
当該表示部は、前記筐体のパネル面に目視可能に配置されており、かつ前記遮断器が入状態にあるか、切状態にあるか、および引出状態にあるか、接続状態にあるかをそれぞれ識別可能に表示することを特徴とする遮断器の状態表示装置。
【請求項２】
請求項１に記載の遮断器の状態表示装置において、
前記表示部は、遮断器の入・切状態および引出状態・接続状態の各組合せに応じて色分け表示する発光ダイオードで構成されていることを特徴とする遮断器の状態表示装置。
【発明の詳細な説明】
【技術分野】
【０００１】
本発明は、試験実行時に遮断器を引出位置まで引き出した際、遮断器の入・切状態の表示とともに引出位置をも１つの表示器に同時に表示するようにした遮断器の状態表示装置に関する。
【背景技術】
【０００２】
受配電設備に適用される遮断器は自身のメンテナンスや電路の確実な開放の為、遮断器が接続された接続位置から遮断器を引き出す機構を設けている事が多い。遮断器の引出位置は試験位置とも呼ばれ、試験や確認、保守等の為、遮断器の入・切操作が可能である。遮断器の入・切状態は、遮断器本体の状態表示部の他、一般に遮断器を収納している筐体（配電盤）面に設けられた赤、緑ＬＥＤ等の表示器による盤面表示によって確認できるようになっている。
【０００３】
また、従来、遮断器の引出（試験）位置を検出する方法としては、所定の引出位置にリミットスイッチを設けておき、このリミットスイッチによって遮断器を引き出した際の物理的な位置を検出し、これをランプ表示する方法がある。しかし、この従来における信号表示は引出（試験）位置の状態表示に限られており、遮断器の入・切状態表示しか見ていない操作員は、引出位置の状態表示と入・切状態の表示とを同時には目視することは出来ない。
【０００４】
上述したように、遮断器の入・切状態確認は、遮断器本体の状態表示部や、遮断器本体の状態をその補助接点を利用して外部表示装置に表示するのが一般的である。ここで外部表示装置とは、遮断器を収納している配電盤の盤面に設けられた前述した赤、緑ＬＥＤ等の表示器または、全般を監視している遠方または現場監視設備等を指すものとする。
【先行技術文献】
【特許文献】
【０００５】
【特許文献１】特開平７−３９０２６号公報
【発明の概要】
【発明が解決しようとする課題】
【０００６】
しかしながら、上記従来の表示手法では、いずれも遮断器の接続位置、引出（試験）位置に関わらず、遮断器の主接点の情報に応じた入・切状態を示すに留まっている。このような現状における弊害は、たとえば操作員が意図して遮断器の入操作を行った時、遮断器が引出（試験）位置にあるにもかかわらず主回路が閉状態になったものと勘違いし思わぬトラブルを引き起す危険がある。
【０００７】
これを具体的な実例を用いて説明する。図６、図７に示すように、今、遮断器１０１を備えた主回路１０３と、遮断器１０５を備えた保守バイパスラインであるバイパス回路１０７とが並設され、遮断器１０１を保守・点検するために、主回路１０３からバイパス回路１０７に切り替えて負荷への給電を行う場合を想定する。図６（ａ）の状態では、負荷への給電は主回路１０３から行われている。これを遮断器１０５側のバイパス回路１０７に切り替えるとき、図６（ｂ）に示すように、一旦、両方の回路１０３，１０７を入状態にして負荷に給電する。この状態で、図６（ｃ）に示すように、主回路１０３側の遮断器１０１を切状態にする。これにより、バイパス回路１０７からの給電に切り替わり、無停電で負荷への給電を継続することができる。
【０００８】
一方、バイパス回路１０７を構成する遮断器１０５が引出位置にある場合、図７（ａ）に示す状態から図７（ｂ）に示す状態へ移行しても、遮断器１０５は引出位置にあるので、負荷へは主回路１０３からのみ給電されることとなる。図７（ｃ）に示すように、この状態で遮断器１０１を切状態にすると、負荷への給電が遮断されてしまうという不具合が生じることとなる。
【０００９】
本発明は上記事情に鑑み、遮断器の入・切状態の表示とともに引出位置をも同時に表示するようにすることにより、試験や保守時においても確実に負荷への給電を保証することができる遮断器の状態表示装置を提供することを目的としている。
【課題を解決するための手段】
【００１０】
上記の目的を達成するために本発明は、遮断器の入・切状態を表示する入・切状態表示と、前記遮断器が当該遮断器を収納する筐体から引き出された引出位置にあるか、収納された接続位置にあるかを表示する位置表示とを同時に行う表示部を備え、当該表示部は、前記筐体のパネル面に目視可能に配置されており、かつ前記遮断器が入状態にあるか、切状態にあるか、および引出状態にあるか、接続状態にあるかをそれぞれ識別可能に表示することを特徴としている。
【００１１】
また、前記表示部は、遮断器の入・切状態および引出状態・接続状態の各組合せに応じて色分け表示する発光ダイオードで構成されているものである。
【発明の効果】
【００１２】
本発明によれば、遮断器の入・切状態の表示とともに引出位置をも１つの表示器に同時に表示することができ、試験や保守時においても確実に負荷への給電を保証することができる。
【図面の簡単な説明】
【００１３】
【図１】本発明に係る遮断器の状態表示装置を構成する表示部の配置を模式的に示す斜視図である。
【図２】本発明に係る遮断器の状態表示装置の電気的構成を示す回路図である。
【図３】本発明に係る遮断器の状態表示装置を構成する表示部の表示状態を示す説明図である。
【図４】本発明に係る遮断器の状態表示装置を構成する表示部の表示状態を示す説明図である。
【図５】本発明に係る遮断器の状態表示装置を構成する表示部の他の表示状態を示す説明図である。
【図６】遮断器の切り替え時に発生する課題を示す説明図である。
【図７】遮断器の切り替え時に発生する課題を示す説明図である。
【発明を実施するための形態】
【００１４】
図１は本発明に係る遮断器が筐体内に収納された状態を模式的に示す斜視図、図２は本発明に係る遮断器の状態表示装置の電気的構成を示す回路図である。この実施形態では、
図１に示すように、筐体１内には遮断器３が収納されており、この筐体１のパネル面５には、表示部７が配置されている。
【００１５】
表示部７は、遮断器３の入・切状態を表示する入・切状態と、遮断器３がこの遮断器３を収納する筐体１から引き出された引出位置にあるか、収納された接続位置にあるかを示す位置状態とを一体的に表示可能に構成されている。この表示部７は、発光ダイオード（ＬＥＤ）で構成され、遮断器３が入状態にあるか、切状態にあるか、接続位置にあるか、および引出位置にあるかに応じて色分け表示することが可能である。
【００１６】
遮断器の状態表示装置の回路構成は、図２に示すように、ＤＣ１００Ｖの制御用電源のＰ−Ｎ間に接続された、リミットスイッチＬＳと、このリミットスイッチＬＳがオン状態となったときに動作するリレーＲｓと、遮断器３の補助接点ＣＢ１がオン状態となったとき動作するリレーＲ１と、リレーＲｓの２つのａ接点Ｒｓａ１，Ｒｓａ２および２つのｂ接点Ｒｓｂ１，Ｒｓｂ２と、リレーＲ１の２つのａ接点Ｒ１ａ１，Ｒ１ａ２および２つのｂ接点Ｒ１ｂ１，Ｒ１ｂ２と、４個のＬＥＤ表示器Ｌ１，Ｌ２，Ｌ３，Ｌ４とを備えている。
【００１７】
リミットスイッチＬＳは、遮断器３の本体が所定の引出位置にあるときにオン動作する。リレーＲｓは、リミットスイッチＬＳがオン動作したときに通電してそのａ接点Ｒｓａ１，Ｒｓａ２を閉成すると共にそのｂ接点Ｒｓｂ１，Ｒｓｂ２を開放する。リレーＲ１は、遮断器３が入状態でその補助接点ＣＢ１が閉じたときに通電してそのａ接点Ｒ１ａ１，Ｒ１ａ２を閉成すると共にそのｂ接点Ｒ１ｂ１，Ｒ１ｂ２を開放するように動作する。
【００１８】
次に、以上のように構成された回路の動作について説明する。
【００１９】
＜遮断器３が接続位置にあるとき＞
リミットスイッチＬＳはオフ状態であり、リレーＲｓは通電しない。このとき、遮断器３が入状態となっている場合には、その補助接点ＣＢ１が閉成されａ接点Ｒ１ａ１，Ｒ１ａ２が閉じると共にｂ接点Ｒ１ｂ１，Ｒ１ｂ２は開く。その結果、図３（ａ）に示すように、ＬＥＤ表示器Ｌ１にのみが通電して発光する（例えば赤色）。この点灯状態を目視することにより、遮断器３が接続位置にあり、かつこの遮断器３が入状態であることが理解できる。
【００２０】
一方、リミットスイッチＬＳがオフ状態で、遮断器３が切状態となっている場合には、その補助接点ＣＢ１は開放されたままである。その結果、図３（ｂ）に示すように、ｂ接点Ｒｓｂ２，Ｒ１ｂ１を介してＬＥＤ表示器Ｌ２が通電状態となって発光する（例えば緑色）。この点灯状態を目視することにより、遮断器３が接続位置にあり、かつこの遮断器３は切状態であることが理解できる。
【００２１】
＜遮断器３が引出位置にあるとき＞
リミットスイッチＬＳはオン状態となり、リレーＲｓが通電する。これにより、ａ接点Ｒｓａ１，Ｒｓａ２は閉成すると共にｂ接点Ｒｓｂ１，Ｒｓｂ２は開放する。このとき、遮断器３が入状態となっている場合には、その補助接点ＣＢ１が閉成されａ接点Ｒ１ａ２が閉じる。その結果、図３（ｃ）に示すように、ＬＥＤ表示器Ｌ３が発光する（例えば紫色）。この点灯状態を目視することにより、遮断器３が引出位置にあるが、遮断器３が入状態にあることが理解できる。
【００２２】
一方、リミットスイッチＬＳがオン状態で、遮断器３が切状態となっている場合には、その補助接点ＣＢ１は開放されたままである。その結果、図３（ｄ）に示すように、Ｒｓａ２，ｂ接点Ｒ１ｂ２を介してＬＥＤ表示器Ｌ２が通電状態となって発光する（例えば緑色）。この点灯状態を目視することにより、遮断器３が引出位置にあり、かつこの遮断器３は切状態であることが理解できる。
【００２３】
このように、この実施形態によれば、図４に示すように、遮断器３が入状態で、かつ接続位置にあるときは赤色ＬＥＤが、遮断器３が切状態で、かつ接続位置にあるときは緑色ＬＥＤが、遮断器３が入状態で、かつ引出位置にあるときは紫色ＬＥＤが、そして、遮断器３が切状態で、かつ引出位置にあるときは青色ＬＥＤがそれぞれ点灯するように構成したので、遮断器３の状態を間違いなく操作者に伝達することが可能となる。その結果、試験や保守時においても確実に負荷への給電を保証することができる。
【００２４】
なお、上記実施の形態では、遮断器の入・切状態、接続・引出状態を発光色によって識別できるようにしたが、図５（ａ），（ｂ）に示すように、色分けではなく、単純に入・切状態の表示と、引出位置に有るか無いかを同一位置に表示するようにしても良い。また、具体的にその状態が分かるように文字等を付加して表示するようにしても良い。
【符号の説明】
【００２５】
１  筐体
３  遮断器
５  パネル面
７  表示部
ＣＢ１  遮断器の補助接点
Ｌ１，Ｌ２，Ｌ３，Ｌ４  ＬＥＤ表示器
ＬＳ  リミットスイッチ
Ｒ１，Ｒｓ  リレー
Ｒ１ａ１，Ｒ１ａ２  リレーＲ１のａ接点
Ｒ１ｂ１，Ｒ１ｂ２  リレーＲ１のｂ接点
Ｒｓａ１，Ｒｓａ２  リレーＲｓのａ接点
Ｒｓｂ１，Ｒｓｂ２  リレーＲｓのｂ接点
【図１】
2011062048.tif 000003
【図２】
2011062048.tif 000004
【図３】
2011062048.tif 000005
【図４】
2011062048.tif 000006
【図５】
2011062048.tif 000007
【図６】
2011062048.tif 000008
【図７】
2011062048.tif 000009